(57)【特許請求の範囲】
【請求項１】
所定の間隔を開けて２つ折りにされるカバーシートの対向する内面両側に、このカバーシートの２つ折り側に底を有し、その反対側が開口する筒状のルアー収納部を並列に連設し、これらの各ルアー収納部の筒断面形状を、一辺が前記カバーシートの内面に沿う略三角形状とし、前記カバーシートを２つ折りにしたときに、前記内面両側に連設したルアー収納部の略三角形状の筒断面が、互いに相補的に噛み合うようにしたルアーケース。
【請求項２】
前記各ルアー収納部の底に水抜き部を設けた請求項１に記載のルアーケース。
【請求項３】
前記各ルアー収納部の開口上端を、前記カバーシートの内面から離れる方向へ下向きに傾斜させた請求項１または２に記載のルアーケース。
【請求項４】
前記筒断面形状のカバーシートの内面に沿う一辺における前記各ルアー収納部の側壁を、前記カバーシートで形成した請求項１乃至３のいずれかに記載のルアーケース。
【請求項５】
前記連設される複数のルアー収納部の、前記カバーシートで形成される側壁以外の側壁と底とを一体の可撓性部材で形成し、このうちの少なくとも１つのルアー収納部を形成する前記カバーシートと可撓性部材とを、部分的または全体的に分離させた請求項４に記載のルアーケース。
【請求項６】
前記２つ折りにされるカバーシートの対向する縁部を係止する手段を設けた請求項１乃至５のいずれかに記載のルアーケース。
【請求項７】
前記ルアーケースを、前記２つ折りにされるカバーシートの厚み方向に複数個連結した請求項１乃至６のいずれかに記載のルアーケース。
【発明の詳細な説明】
【０００１】
【発明の属する技術分野】
この発明は、ルアーを収納するケースに関し、特に、烏賊釣り用の餌木に好適なルアーケースに関するものである。
【０００２】
【従来の技術および発明が解決しようとする課題】
ルアーフィッシングの際には、複数のルアーを携行し、その中から当たりのよいルアーを選択するようにしている。通常は、数個から十数個のルアーを携行することが多い。これらの携行するルアーの収納には、枡目等の仕切りを設けた箱状のルアーケースが多く用いられている。
【０００３】
ルアーは様々な形態のものがあるが、一般的に魚形等の本体に針や飾り等が取り付けられており、立体的な凹凸を有する。図７に一例を示すように、烏賊釣り用の餌木１１は、魚形の本体１２に針１３と飾り鰭１４が取り付けられ、さらに腹部側に突出する錘１５が取り付けられている。
【０００４】
このため、上述したような仕切りを設けた箱状のルアーケースは収納効率が悪く、多数のルアーをコンパクトに収納できない問題がある。また、仕切り内での立体的なルアーの座りが悪く、携行中にルアーの針や飾り等を損傷しやすい問題もある。
【０００５】
そこで、この発明の課題は、多数のルアーをコンパクトに安定して収納できるルアーケースを提供することである。
【０００６】
【課題を解決するための手段】
上記の課題を解決するために、この発明のルアーケースは、所定の間隔を開けて２つ折りにされるカバーシートの対向する内面両側に、このカバーシートの２つ折り側に底を有し、その反対側が開口する筒状のルアー収納部を並列に連設し、これらの各ルアー収納部の筒断面形状を一辺が前記カバーシートの内面に沿う略三角形状とし、前記カバーシートを２つ折りにしたときに、前記内面両側に連設したルアー収納部の略三角形状の筒断面が、互いに相補的に噛み合う構成を採用したものである。
【０００７】
すなわち、２つ折りのカバーシートの対向する内面両側に、互いに相補的に噛み合う略三角形状筒断面のルアー収納部を並列に連設することにより、立体的な凹凸を有するルアーを、立体空間を効率よく活用して多数安定して収納できるようにした。なお、ルアーは左右対称なものが多いので、ルアー収納部の筒断面は、底辺がカバーシートの内面に沿う二等辺三角形（正三角形を含む）とするのが好ましいが、これらの筒断面が相補的に噛み合うものであれば、二等辺三角形以外の三角形としてもよい。
【０００８】
前記各ルアー収納部の底に水抜き部を設けることにより、収納する使用後のルアーを水切りすることができる。
【０００９】
前記各ルアー収納部の開口上端を、前記カバーシートの内面から離れる方向へ下向きに傾斜させることにより、例えば、烏賊釣り用の餌木を収納する際に、ルアー収納部の開口上端に引っ掛かる餌木の腹部側に突出する錘が、開口上端の下向きの傾斜に沿ってカバーシート内面と反対側に向き、餌木が安定した姿勢で収納される。
【００１０】
前記筒断面形状のカバーシートの内面に沿う一辺における前記各ルアー収納部の側壁は、前記カバーシートで形成することができる。
【００１１】
前記連設される複数のルアー収納部の、前記カバーシートで形成される側壁以外の側壁と底とを一体の可撓性部材で形成し、このうちの少なくとも１つのルアー収納部を形成する前記カバーシートと可撓性部材とを、部分的または全体的に分離させることにより、ルアー収納部の収納可能寸法に余裕度を持たせることができる。
【００１２】
前記２つ折りにされるカバーシートの対向する縁部を係止する手段を設けることにより、ルアーケースを別途のバッグ等に入れることなく、独立のケースとして持ち運ぶことができる。縁部を係止する手段としては、スライドファスナ、スナップファスナ、フックアンドアイ、面ファスナ等を使用することができる。
【００１３】
前記ルアーケースを、前記２つ折りにされるカバーシートの厚み方向に複数個連結することにより、ルアーの収納個数をコンパクトな形態で増加させることができる。
【００１４】
【発明の実施の形態】
以下、図１乃至図６に基づき、この発明の実施形態を説明する。図１乃至図４は、第１の実施形態を示す。このルアーケースは、図１および図２に示すように、所定の間隔を開けて２つ折りにされるカバーシート１の対向する内面両側に、熱可塑性プラスチックシートを加熱スタンピングで成形した可撓性の収納部形成部材２ａ、２ｂを溶着したものであり、各収納部形成部材２ａ、２ｂは、カバーシート１の内面とで略正三角形断面の複数の筒状ルアー収納部３を並列に形成するように、ジグザグ形状でカバーシート１の２つ折り側に底４を有するように成形されている。なお、カバーシート１は透明なプラスチックシートで形成されているので、各ルアー収納部３に収納されるルアーは、外部から一目で識別することができる。
【００１５】
図３に示すように、前記各収納部形成部材２ａ、２ｂは、カバーシート１を２つ折りにしたときに、対向する内面両側に形成されたルアー収納部３の筒断面が互いに相補的に噛み合うようになっており、左右両端部と中央部のジグザグ底の各溶着部５でカバーシート１に固着され、その他のジグザグ底と底４の部分はカバーシート１と分離している。したがって、ルアー収納部３の筒断面よりも多少大きい断面寸法のルアーであっても、可撓性を有する収納部形成部材２ａ、２ｂがカバーシート１から離れる方向に撓むので、十分に収納することができる。
【００１６】
図２に示したように、前記各ルアー収納部３の開口上端６は、カバーシート１の内面から離れる方向へ下向きに傾斜している。したがって、図７に示したような餌木１１を収納する場合は、図４（ａ）に示すように、餌木１１を尾部からルアー収納部３に挿入することにより、その腹部側に突出する錘１５が開口上端６に引っ掛かり、図４（ｂ）に示すように、錘１５が開口上端６の下向きの傾斜に沿ってカバーシート１内面と反対側に向いて、餌木１１が安定した姿勢で収納される。
【００１７】
また、上述したように、各ルアー収納部３の底４の部分はカバーシート１と分離しているので、この部分が水抜き部となり、収納される使用後のルアーが水切りされる。
【００１８】
図５は、第２の実施形態を示す。このルアーケースは、基本的な構成は第１の実施形態のものと同じであり、２つ折りのカバーシート１の対向する縁部にスライドファスナ７が取り付けられ、ルアーケースがスライドファスナ７で開閉されるようになっている点のみが異なる。なお、スライドファスナ７の縁取り地８にはベルト通し９が縫い付けられている。
【００１９】
図６は、第３の実施形態を示す。このルアーケースは、第２の実施形態のものを、２つ折りにされるカバーシート１の厚み方向に２つ連結したものである。したがって、コンパクトな形態で第２の実施形態のものの２倍のルアーを収納することができる。
【００２０】
上述した各実施形態では、ルアー収納部の筒断面形状を略正三角形断面としたが、この筒断面形状はカバーシートを２つ折りにしたときに、両内面のものが相補的に噛み合う形状であればよく、二等辺三角形や直角三角形等の他の三角形断面としてもよい。
【００２１】
また、カバーシートと各収納部形成部材との固着手段は、溶着に限定されることはなく、ミシン縫い等とすることもできる。
【００２２】
【発明の効果】
以上のように、この発明のルアーケースは、２つ折りのカバーシートの対向する内面両側に、互いに相補的に噛み合う三角状筒断面のルアー収納部を並列に連設したので、立体的な凹凸を有するルアーを、立体空間を効率よく活用して多数安定して収納することができる。
【００２３】
また、前記各ルアー収納部の開口上端を、カバーシートの内面から離れる方向へ下向きに傾斜させることにより、例えば、烏賊釣り用の餌木を収納する際に、その腹部側に突出する錘をルアー収納部の開口上端に引っ掛けて、開口上端の下向きの傾斜に沿ってカバーシート内面と反対側に向け、安定した姿勢で収納することができる。
【図面の簡単な説明】
【図１】第１の実施形態のルアーケースを示す外観斜視図
【図２】図１の一部省略側面断面図
【図３】図１のルアーケースのカバーシートを２つ折りにした状態を示す横断面図
【図４】ａ、ｂは、それぞれ図１のルアーケースのルアー収納部に餌木を収納する手順を示す斜視図
【図５】第２の実施形態のルアーケースを示す外観斜視図
【図６】第３の実施形態のルアーケースを示す外観斜視図
【図７】餌木の一例を示す正面図
【符号の説明】
１  カバーシート
２ａ、２ｂ  収納部形成部材
３  ルアー収納部
４  底
５  溶着部
６  開口上端
７  スライドファスナ
８  縁取り地
９  ベルト通し
【図１】
0003605079.tif 000002
【図２】
0003605079.tif 000003
【図３】
0003605079.tif 000004
【図４】
0003605079.tif 000005
【図５】
0003605079.tif 000006
【図６】
0003605079.tif 000007
【図７】
0003605079.tif 000008